(57)【要約】  【課題】  レーザ光の出射を自動的に停止させることができ、本体のクリーニングが容易にでき、アクチュエータと本体との隙間から塵などの異物が混入することによるスイッチの不具合をなくし、プローブを本体の収納部に格納したときのプローブの浮き上がりを防止し、確実に収納することができるレーザ出力制御装置及びレーザ治療装置を提供する。  【解決手段】  レーザ光を出射するプローブ１０２と、プローブを収納する収納部１０４を有するレーザ出力装置本体１０１と、レーザ光の出射駆動電力の供給及び遮断を行うスイッチ４０１とを有し、プローブとレーザ出力装置本体とのいずれか一方に第１の吸着片、他方に第２の吸着片が設けられたレーザ出力制御装置１００であって、プローブが収納部に収納されたとき、第１の吸着片と第２の吸着片とが引き合うように動作することによりスイッチを制御し、レーザ光の出射駆動電力を遮断する制御手段２０１を備えた。【選択図】  図１
2006051208.tif 000002
【特許請求の範囲】
【請求項１】
レーザ光を出射するプローブと、前記プローブを収納するための収納部を有するレーザ出力装置本体と、前記レーザ光の出射駆動電力の供給及び遮断を行うスイッチとを有し、前記プローブと前記レーザ出力装置本体とのいずれか一方に第１の吸着片、他方に第２の吸着片が設けられたレーザ出力制御装置であって、
前記プローブが前記収納部に収納されたとき、前記第１の吸着片と前記第２の吸着片とが引き合うように動作することによって前記スイッチを制御し、前記レーザ光の出射駆動電力を遮断する制御手段を備えたレーザ出力制御装置。
【請求項２】
前記第１の吸着片及び前記第２の吸着片のうち、一方が磁石で、他方が前記磁石の磁力を受ける作動片である請求項１に記載のレーザ出力制御装置。
【請求項３】
前記作動片は、鉄製の部材で構成される請求項２に記載のレーザ出力制御装置。
【請求項４】
請求項１から請求項３のいずれか１つに記載のレーザ出力制御装置を有するレーザ治療装置。
【発明の詳細な説明】
【技術分野】
【０００１】
本発明は、レーザ治療に用いるレーザ治療装置におけるレーザ光の出射を自動的に停止させるレーザ出力制御装置及びそのレーザ出力制御装置を有するレーザ治療装置に関する。
【背景技術】
【０００２】
従来の医療用レーザ治療装置は、レーザ光を出射するプローブと本体とから構成されており、プローブは、本体とフレキシブルなケーブルで連結されている。従来の医療用レーザ治療装置について図５を用いて説明する。図５に示すように、従来の医療用レーザ治療装置では、プローブ５００が本体５０１の収納部５０２に置かれると、本体５０１の内部に配置された制御機構の構成要素であるスイッチ５０３が、本体５０１にプローブ５００が置かれたことを検出して、それに基づいてレーザ光の出射を停止させるようにしている。このスイッチ５０３のアクチュエータ５０４の一部は、本体５０１の一部に開けられた孔から外部に出ており、プローブ５００が本体５０１の収納部５０２に置かれることによって、アクチュエータ５０４が動作してスイッチ５０３が作動する。このような従来の医療用レーザ治療装置が下記の非特許文献１に開示されている。
【非特許文献１】http://www.og-giken.co.jp/products/newmodel/n-035.htm
【発明の開示】
【発明が解決しようとする課題】
【０００３】
しかしながら、プローブは患者に皮膚接触させて治療するものであるため、衛生上の観点から、プローブ及び本体は頻繁に布などでクリーニングしなければならない。しかし、非特許文献１に開示されたような従来の医療用レーザ治療装置では、アクチュエータが外部に飛び出ている構成であるため、クリーニングがしにくいという問題があった。また、アクチュエータと本体との隙間から塵などの異物が混入し、スイッチの不具合の原因になるという問題もあった。さらに、プローブが軽い場合には、アクチュエータを完全に押しつけることができず、ケーブルのねじれなどと重なって、プローブが浮き上がるなどしてプローブを本体の収納部に確実に収納することができないという問題もあった。
【０００４】
本発明は、上記問題を解決するためになされたものであり、レーザ光の出射を自動的に停止させることができ、プローブ及び本体のクリーニングが容易にでき、アクチュエータと本体との隙間から塵などの異物が混入することによるスイッチの不具合をなくし、プローブを本体の収納部に収納したときのプローブの浮き上がりを防止し、確実に収納することができるレーザ出力制御装置及びレーザ治療装置を提供することを目的とする。
【課題を解決するための手段】
【０００５】
上記目的を達成するために、本発明によれば、レーザ光を出射するプローブと、前記プローブを収納するための収納部を有するレーザ出力装置本体と、前記レーザ光の出射駆動電力の供給及び遮断を行うスイッチとを有し、前記プローブと前記レーザ出力装置本体とのいずれか一方に第１の吸着片、他方に第２の吸着片が設けられたレーザ出力制御装置であって、前記プローブが前記収納部に収納されたとき、前記第１の吸着片と前記第２の吸着片とが引き合うように動作することによって前記スイッチを制御し、前記レーザ光の出射駆動電力を遮断する制御手段を備えたレーザ出力制御装置が提供される。この構成により、レーザ光の出射を自動的に停止させることができ、プローブ及び本体のクリーニングが容易にでき、アクチュエータと本体との隙間から塵などの異物が混入することによるスイッチの不具合をなくし、プローブを本体の収納部に収納したときのプローブの浮き上がりを防止し、確実に収納することができる。
【０００６】
また、本発明のレーザ出力制御装置における前記第１の吸着片及び前記第２の吸着片のうち、一方が磁石で、他方が前記磁石の磁力を受ける作動片であることは、本発明の好ましい態様である。この構成により、レーザ光の出射を自動的に停止させることができる。
【０００７】
また、本発明のレーザ出力制御装置における前記作動片が鉄製の部材で構成されることは、本発明の好ましい態様である。この構成により、磁石の磁力の影響を受け、レーザ光の出射を自動的に停止させることができる。
【０００８】
また、本発明によれば、請求項１から請求項３のいずれか１つに記載のレーザ出力制御装置を有するレーザ治療装置が提供される。この構成により、レーザ光の出射を自動的に停止させることができ、プローブ及び本体のクリーニングが容易にでき、アクチュエータと本体との隙間から塵などの異物が混入することによるスイッチの不具合をなくし、プローブを本体の収納部に収納したときのプローブの浮き上がりを防止し、確実に収納することができる。
【発明の効果】
【０００９】
本発明のレーザ出力制御装置及びレーザ治療装置は、上記構成を有し、レーザ光の出射を自動的に停止させることができ、プローブ及び本体のクリーニングが容易にでき、アクチュエータと本体との隙間から塵などの異物が混入することによるスイッチの不具合をなくし、プローブを本体の収納部に収納したときのプローブの浮き上がりを防止し、確実に収納することができる。
【発明を実施するための最良の形態】
【００１０】
以下、本発明の実施の形態に係るレーザ出力制御装置及びレーザ治療装置について図１から図４を用いて説明する。図１は本発明の実施の形態に係るレーザ出力制御装置の外観を示す図である。図２は本発明の実施の形態に係るレーザ出力制御装置の他の外観を示す図である。図３は本発明の実施の形態に係るレーザ出力制御装置におけるプローブがレーザ出力装置本体の収納部に収められた際の模式図である。図４は本発明の実施の形態に係るレーザ出力制御装置の制御機構について説明するための図である。
【００１１】
まず、本発明の実施の形態に係るレーザ出力制御装置について図１及び図２を用いて説明する。図２に示すように、レーザ出力制御装置１００は、レーザ出力装置本体１０１と、レーザ出力装置本体１０１とケーブル１０３を介して接続されるプローブ１０２とから構成されている。また、レーザ出力装置本体１０１は、プローブ１０２を収納するための収納部１０４を有している。収納部１０４は、プローブ１０２を使用していない場合やプローブ１０２の使用を一時停止する場合などに用いられる。
【００１２】
また、図１に示すように、プローブ１０２は、自身の内部に永久磁石２００を有している。永久磁石２００は、レーザ出力装置本体１０１との接触面側に埋め込まれていることが望ましい。なお、永久磁石２００以外にも電磁石などであってもよい。また、レーザ出力装置本体１０１の内部には、本発明の実施の形態に係るレーザ出力制御装置１００が有する制御機構２０１が埋め込まれている。この制御機構２０１について図４を用いて説明する。図４に示すように、制御機構２０１は、プリント基板４００、検出スイッチ４０１、戻しばね４０２、作動片（アクチュエータとも言う）４０３、スイッチ作動片４０４から構成されている。
【００１３】
作動片４０３は、例えば鉄製の部材でできている。そのため、プローブ１０２の内部に埋め込まれた永久磁石２００が近づくと、作動片４０３は、永久磁石２００の磁力により永久磁石２００の方へ引き寄せられる。作動片４０３が引き寄せられることにより、戻しばね４０２は伸び、スイッチ作動片４０４が上方へ浮き上がる。スイッチ作動片４０４が浮き上がることにより、検出スイッチ４０１は、スイッチ作動片４０４との接触が解かれる。これにより、プリント基板４００の回路を介してレーザ光の出射が停止される。
【００１４】
ここで、プローブ１０２がレーザ出力装置本体１０１の収納部１０４に収められた際の模式図を図３に示す。図３に示すように、プローブ１０２がレーザ出力装置本体１０１の収納部１０４に収められると、プローブ１０２内の永久磁石２００により、作動片４０３が引き寄せられる。作動片４０３が引き寄せられることにより、スイッチ作動片４０４が上方へ浮き上がり、レーザ光の出射が自動的に停止される。また、従来のレーザ出力制御装置では、レーザ出力装置本体とアクチュエータとの隙間から塵などの異物が混入することによるスイッチの不具合が生じていたが、本発明の実施の形態に係るレーザ出力制御装置では、上記のような隙間がないため、塵などの異物が混入することによるスイッチの不具合は生じない。また、本発明の実施の形態に係るレーザ出力制御装置では、プローブに永久磁石を埋め込んだ構成であるため、永久磁石の磁力により、軽量なプローブであってもレーザ出力装置本体の収納部に確実に収納することができる。
【００１５】
なお、上述した本発明の実施の形態では、プローブ１０２の内部にのみ永久磁石２００を設けているが、永久磁石２００をレーザ出力装置本体１０１の内部に設けてもよい。すなわち、この場合、作動片４０３が永久磁石となる。これにより、例えばお互いの永久磁石が引き寄せ合い、スイッチ作動片４０４が上方へ浮き上がる場合にレーザ光の出射が自動的に停止されるようにしてもよい。また、例えばお互いの永久磁石が反発し合い、スイッチ作動片４０４が下方へ押し付けられる場合にレーザ光の出射が自動的に停止されるようにしてもよい。
【００１６】
また、上述した本発明の実施の形態では、プローブ１０２の内部に永久磁石２００を設け、レーザ出力装置本体１０１の内部に金属製の作動片４０３を設けているが、プローブ１０２の内部の永久磁石２００を金属製の片に代え、レーザ出力装置本体１０１の内部の金属製の作動片４０３を永久磁石に代えてもよい。これにより、本発明の実施の形態のように、磁石の磁力によりレーザ光の出射が自動的に停止される。また、上述した本発明の実施の形態に係るレーザ出力制御装置を搭載させた不図示のレーザ治療装置により、レーザ治療を行うことができる。
【産業上の利用可能性】
【００１７】
本発明に係るレーザ出力制御装置及びレーザ治療装置は、レーザ光の出射を自動的に停止させることができ、プローブ及び本体のクリーニングが容易にでき、アクチュエータと本体との隙間から塵などの異物が混入することによるスイッチの不具合をなくし、プローブを本体の収納部に収納したときのプローブの浮き上がりを防止し、確実に収納することができるため、レーザ治療に用いるレーザ治療装置におけるレーザ光の出射を自動的に停止させるレーザ出力制御装置及びそのレーザ出力制御装置を有するレーザ治療装置などに有用である。
【図面の簡単な説明】
【００１８】
【図１】本発明の実施の形態に係るレーザ出力制御装置の外観を示す図
【図２】本発明の実施の形態に係るレーザ出力制御装置の他の外観を示す図
【図３】本発明の実施の形態に係るレーザ出力制御装置におけるプローブがレーザ出力装置本体の収納部に収められた際の模式図
【図４】本発明の実施の形態に係るレーザ出力制御装置における制御機構について説明するための図
【図５】従来の医療用レーザ治療装置について説明するための図
【符号の説明】
【００１９】
１００  レーザ出力制御装置
１０１、５０１  レーザ出力装置本体（本体）
１０２、５００  プローブ
１０３  ケーブル
１０４、５０２  収納部
２００  永久磁石（磁石）
２０１  制御機構（制御手段）
４００  プリント基板
４０１、５０３  検出スイッチ（スイッチ）
４０２  戻しばね
４０３、５０４  作動片（アクチュエータ）
４０４  スイッチ作動片
【図１】
2006051208.tif 000003
【図２】
2006051208.tif 000004
【図３】
2006051208.tif 000005
【図４】
2006051208.tif 000006
【図５】
2006051208.tif 000007